(57)【要約】【課題】プリント配線板に対する電子部品の実装方向を容易に判断できるようにした電子部品実装体を提供することを目的とする。【解決手段】プリント配線板２と、プリント配線板２に実装され、感触の異なる２つの持ち手部１ａ、１ｂを有するコネクター１と、を備える。プリント配線板２は、コネクター１が実装される部位に、正規の実装方向でのコネクター１の実装を案内する表示部として、２つの持ち手部１ａ、１ｂの感触を示すコネクター外形輪郭線印刷部５を備える。【選択図】図１
2011176006.tif 000002
【特許請求の範囲】
【請求項１】
プリント配線板と、
前記プリント配線板に実装され、感触の異なる少なくとも２つの持ち手部を有する電子部品と、を備え、
前記プリント配線板は、前記電子部品が実装される部位に、正規の実装方向での前記電子部品の実装を案内する表示部として、前記少なくとも２つの持ち手部のうちの少なくとも１つの持ち手部の感触を示す感触表示部を備えることを特徴とする電子部品実装体。
【請求項２】
前記プリント配線板は、前記少なくとも２つの持ち手部のうちで最も粗い面を有する特定持ち手部に対応する前記感触表示部の近傍に、前記特定持ち手部側であることを示す目印となる目印表示部を備えることを特徴とする請求項１に記載の電子部品実装体。
【請求項３】
前記プリント配線板は、前記少なくとも２つの持ち手部のうちで最も面の粗い持ち手部のつまみ位置を示す目印として、対応する前記感触表示部の近傍に目印表示部を備えることを特徴とする請求項１または２に記載の電子部品実装体。
【請求項４】
前記プリント配線板は、
前記少なくとも２つの持ち手部のうちで最も粗い面を有する特定持ち手部に対応する前記感触表示部の近傍に、前記特定持ち手部側であることを示す目印となる第１目印表示部と、
前記少なくとも２つの持ち手部のうちで最も面の粗い持ち手部のつまみ位置を示す目印として、対応する前記感触表示部の近傍に第２目印表示部とを備え、
前記第１目印表示部により目印として使用される符号と、前記第２目印表示部により目印として使用される符号とが異なるものとされていることを特徴とする請求項１に記載の電子部品実装体。
【発明の詳細な説明】
【技術分野】
【０００１】
この発明は、プリント配線板に実装される電子部品を備える電子部品実装体に関する。
【背景技術】
【０００２】
従来、コネクター（電子部品）が実装されるプリント配線板は、コネクターの実装方向を表示するため、プリント配線板に視覚的にとらえたコネクター外形輪郭線を印刷することを特徴としている（例えば、特許文献１参照）。
【先行技術文献】
【特許文献】
【０００３】
【特許文献１】特開昭６２-２３４８８４号公報
【発明の概要】
【発明が解決しようとする課題】
【０００４】
しかしながら、上記従来技術のプリント配線板におけるコネクターの実装方向表示は、視覚的にとらえたコネクターの外形輪郭線を用いている。このため、コネクターの外形形状と外形輪郭線を比較しながらコネクターをプリント配線板に実装するため、時間がかかるという課題を有していた。
【０００５】
この発明は、上述のような課題を解決するためになされたもので、プリント配線板に対する電子部品の実装方向を容易に判断できるようにした電子部品実装体を提供することを目的とする。
【課題を解決するための手段】
【０００６】
この発明に係る電子部品実装体は、プリント配線板と、プリント配線板に実装され、感触の異なる少なくとも２つの持ち手部を有する電子部品と、を備え、プリント配線板は、電子部品が実装される部位に、正規の実装方向での電子部品の実装を案内する表示部として、少なくとも２つの持ち手部のうちの少なくとも１つの持ち手部の感触を示す感触表示部を備えるものである。
【発明の効果】
【０００７】
この発明によれば、コネクターなどの電子部品の実装方向を容易に判断できる電子部品実装体を提供することができる。
【図面の簡単な説明】
【０００８】
【図１】本発明の実施の形態１における電子部品実装体の構成の一例を示す概略図である。
【図２】図１に示すコネクターの構成を示す上面図（Ａ）、正面図（Ｂ）、側面図（Ｃ）である。
【図３】本発明の実施の形態２における特徴的な構成を説明するための図である。
【図４】本発明の実施の形態３における電子部品実装体の構成の一例を示す概略図である。
【発明を実施するための形態】
【０００９】
実施の形態１．
以下、本発明の実施の形態１について、図面を参照しながら説明する。なお、この実施の形態によって本発明が限定されるものではない。
【００１０】
図１は、本発明の実施の形態１における電子部品実装体の構成の一例を示す概略図である。図２は、図１に示すコネクター１の構成を示す図である。より具体的には、図２（Ａ）はコネクター１の上面図であり、図２（Ｂ）はコネクター１の正面図であり、図２（Ｃ）はコネクター１の側面図である。
【００１１】
図１に示す電子部品実装体は、コネクター（電子部品）１と、プリント配線板２とを備えている。プリント配線板２には、コネクター１を実装するために、コネクター１の端子（ピン）３の挿入を受けるコネクター実装穴４が形成されている。コネクター実装穴４の外周部位、すなわち、プリント配線板２においてコネクター１が実装される部位には、コネクター１の正規の実装方向を表示するためのコネクター外形輪郭線印刷部５が設けられている。
【００１２】
作業者がコネクター１を指でつまむ場合、つまみやすいコネクター１の中央部を図１、２（Ａ）におけるＡ方向およびＢ方向の双方からつまむものと考えられる。この場合、コネクター１における一対の側面１ａ、１ｂが持ち手部として機能するようになる。一方の側面（持ち手部）１ａは、平らな面として形成されており、他方の側面（持ち手部）１ｂは、内側に窪んだ凹面として形成されている。このようなコネクター１の形状により、持ち手部１ａに触れた指は、平らな感触を感じ、持ち手部１ｂに触れた指は、凹な感触を感じるようになる。このように、本実施形態のコネクター１には、人の手で触れられた際の感触の異なる２つの持ち手部１ａ、１ｂが備えられている。
【００１３】
一方、プリント配線板２に印刷されたコネクター外形輪郭線印刷部５には、上記２つの持ち手部１ａ、１ｂの感触を示す表示がなされている。具体的には、図１に示すように、コネクター外形輪郭線印刷部５は、持ち手部１ａに触れた指の平らな感触の表示部として、プリント配線板２における持ち手部１ａの正規の取り付け部位に印刷された平ら線５ａを備えている。更に、コネクター外形輪郭線印刷部５は、持ち手部１ｂに触れた指の凹な感触の表示部として、プリント配線板２における持ち手部１ｂの正規の取り付け部位に印刷された凹み線５ｂを備えている。
【００１４】
以上説明したように、本実施形態のコネクター１には、感触の異なる２つの持ち手部１ａ、１ｂが備えられており、プリント配線板２には、コネクター１が有する２つの持ち手部１ａ、１ｂの感触を示す感触表示部として、平ら線５ａおよび凹み線５ｂを含むコネクター外形輪郭線印刷部５が備えられている。これにより、コネクター１を指でつまんだ感触とコネクター外形輪郭線印刷部５の凹み線５ｂとを一致させるだけで、コネクター１の実装方向を正しく合わせて実装することが可能である。このように、本実施形態の構成によれば、上記のような簡単な手順を踏むだけで、容易にコネクター１の実装方向を確定することのできる電子部品実装体を提供することができる。
【００１５】
ところで、上述した実施の形態１においては、２つの持ち手部１ａ、１ｂの感触を示す感触表示部として、これらの持ち手部１ａ、１ｂの形状を示す表示である平ら線５ａおよび凹み線５ｂを含むコネクター外形輪郭線印刷部５を備えている。しかしながら、本発明の感触表示部における表示内容は、持ち手部の形状をその外形を表す線を用いて表示するものに限定されるものではない。すなわち、少なくとも２つの持ち手部の異なる感触を、例えば、擬態語（ざらざら、つるつる等）、或いは「凹みなし」や「凹みあり」といった文字で表示するようにしてもよい。また、本発明において備えられる感触表示部は、すべての持ち手部に対応してプリント配線板上に備えられているものに限らず、最も顕著な感触を有する持ち手部にのみ対応して備えられていてもよい。
【００１６】
実施の形態２．
次に、図３を参照して、本発明の実施の形態２について説明する。図３は、本発明の実施の形態２における特徴的な構成を説明するための図である。尚、コネクター外形輪郭線印刷部５とプリント配線板２とコネクター１の構成の説明は、上述した実施の形態１と同一のため説明を省略する。
【００１７】
図１、２に示す形状を有するコネクター１の持ち手部１ａ、１ｂを図２（Ａ）のＡ方向とＢ方向の両側から指でつまんだ場合、凸と凹と平らの中で最も顕著な感触を有する持ち手部は、凹み形状からなる持ち手部１ｂである。そこで、本実施形態では、図３に示すように、コネクター外形輪郭線印刷部５における凹み線５ｂの近傍に、黒い塗りつぶしの三角形状の符号６を印刷するようにした。ここでいう最も顕著な感触を有する持ち手部とは、表面が最も粗い面を有することにより、指で触れられた際に、表面形状の設定に由来する刺激を最も受ける持ち手部のことである。このような持ち手部としては、例えば、最も表面形状の凹凸の変化が大きな持ち手部（本実施形態では持ち手部１ｂ）を挙げることができる。
【００１８】
以上のように、本実施形態では、コネクター１の２つの持ち手部１ａ、１ｂのうちで最も粗い面を有する持ち手部（特定持ち手部）１ｂに対応するコネクター外形輪郭線印刷部（感触表示部）５の近傍に、上記特定持ち手部を示す目印となる符号（目印表示部）６が備えられている。これにより、コネクター１の持ち手部１ａ、１ｂを指でつまんだ場合に、凸と凹と平らのどの感触を目安にコネクター外形輪郭線印刷部５の実装方向を合わせればよいか容易に判断することができる電子部品実装体を提供することができる。
【００１９】
実施の形態３．
次に、図４を参照して、本発明の実施の形態３について説明する。図４は、本発明の実施の形態３における電子部品実装体の構成の一例を示す概略図である。尚、プリント配線板２のコネクター実装穴４の構成は、上述した実施の形態１と同一のため説明を省略する。
【００２０】
図４に示すように、プリント配線板８においてコネクター１が実装される部位には、コネクター１の正規の実装方向を表示するためのコネクター外形輪郭線印刷部９が設けられている。コネクター外形輪郭線印刷部９には、２つの持ち手部１ａ、１ｂの感触を示す表示がなされている。具体的には、図４に示すように、コネクター外形輪郭線印刷部９は、持ち手部１ａに触れた指の平らな感触の表示部として、プリント配線板８における持ち手部１ａの正規の取り付け部位に印刷された平ら線９ａと、持ち手部１ｂに触れた指の凸な感触の表示部として、プリント配線板８における持ち手部１ｂの正規の取り付け部位に印刷された凸線９ｂを備えている。
【００２１】
また、図１に示す形状を有するコネクター１の持ち手部１ａ、１ｂを図１および図４のＣ方向とＤ方向の両側から指でつまんだ場合、凸と凹と平らの何れかの感触を最も顕著に得られる持ち手部は、凸形状からなる持ち手部１ｂである。そこで、本実施形態では、図４に示すように、コネクター外形輪郭線印刷部９における凸線９ｂの近傍に、白抜きの三角形状の符号１０を印刷するようにした。
【００２２】
以上説明したように、プリント配線板８には、コネクター１が有する２つの持ち手部１ａ、１ｂの感触を示す感触表示部として、平ら線９ａおよび凸線９ｂを含むコネクター外形輪郭線印刷部９が備えられている。これにより、コネクター１を指でつまんだ感触とコネクター外形輪郭線印刷部９の凸線９ｂとを一致させるだけで、コネクター１の実装方向を正しく合わせて実装することが可能である。
【００２３】
更に、本実施形態では、コネクター１の２つの持ち手部１ａ、１ｂを指でつまんだ際に最も感触の顕著な（最も面の粗い）持ち手部１ｂのつまみ位置を示す目印として、コネクター外形輪郭線印刷部（感触表示部）９の近傍に符号（目印表示部）１０が備えられている。これにより、コネクター１をつまむ場合は、三角形状の符号１０の位置をつまみ、凸の感触の方向とコネクター外形輪郭線印刷部９の凸線９ｂとを一致させてコネクター実装穴４にコネクター１の端子３を挿入するだけで、コネクター１の挿入方向を正しく挿入できる電子部品実装体を提供することができる。
【００２４】
なお、上記の実施の形態２、３で述べた各符号６、１０は、１つのプリント配線板上に混在させてもよい。また、上述した実施の形態２の三角形状の符号６と実施の形態３の三角形状の符号１０とは、黒の塗りつぶしと白抜きとを用いて色が異なるものとされている。このように、本発明において上記符号６、１０のような２つの目印表示部をプリント配線板上に混在させる場合には、目印として使用される両符号を異なるものとすることにより、プリント配線板に混在していても、容易に両者を区別することができ、コネクターの挿入方向を正しく挿入できる電子部品実装体を提供することができる。また、両者の区別ができれば、表現方法はこれ以外でも可であることは言うまでもない。
【００２５】
また、上述した実施の形態１〜３においては、本発明の持ち手部として２つの持ち手部１ａ、１ｂを想定するコネクター１を例に挙げて説明を行った。しかしながら、本発明におけるコネクター等の電子部品が有する持ち手部は、感触の異なる少なくとも２つの持ち手部からなるものであればよく、従って、３つ以上の感触の異なる持ち手部であってもよい。
【符号の説明】
【００２６】
１  コネクター
１ａ、１ｂ  持ち手部（コネクターの側面）
２、８  プリント配線板
３  コネクターの端子
４  コネクター実装穴
５、９  コネクター外形輪郭線印刷部
５ａ、９ａ  平ら線
５ｂ  凹み線
６、１０  符号
９ｂ  凸線
【図１】
2011176006.tif 000003
【図２】
2011176006.tif 000004
【図３】
2011176006.tif 000005
【図４】
2011176006.tif 000006